(57)【要約】【課題】波長分割多重伝送の周波数利用効率を簡単な構成で向上できること。【解決手段】光周波数分割多重伝送システム１００は、光伝送路１０１上の複数のノード１０３がそれぞれ異なる周波数のサブキャリアを搬送波に周波数多重して光伝送路１０１の受信装置１０４に情報伝送する。ノード１０３の送信装置１０３ｂは、光伝送路１０１上の伝送信号の空きサブキャリアの情報が入力され、空きサブキャリアを用いた情報の伝送を決定するビット割当決定部１１２と、受信装置１０４に送信する入力情報を、ビット割当決定部１１２によって決定された空きサブキャリアの周波数を用いて変調する離散マルチトーン変調部１１３を有する。ノード１０３は、前記離散マルチトーン変調部１１３により変調された変調信号を前記光伝送路１０１上の伝送信号に付加する光ＦＤＭ合波部１０３ａを有する。【選択図】図１
2014078806.tif 000002
【特許請求の範囲】
【請求項１】
光伝送路上の複数のノードがそれぞれ異なる周波数のサブキャリアを搬送波に周波数多重して前記光伝送路の受信装置に情報伝送する光周波数分割多重伝送システムに用いられ、前記ノードに設けられる送信装置において、
前記光伝送路上の伝送信号の空きサブキャリアの情報が入力され、前記空きサブキャリアを用いた情報の伝送を決定する決定部と、
前記受信装置に送信する入力情報を、前記決定部によって決定された空きサブキャリアの周波数を用いて変調する離散マルチトーン変調部と、
前記離散マルチトーン変調部により変調された変調信号を前記光伝送路上の伝送信号に付加する合波部と、
を有することを特徴とする送信装置。
【請求項２】
前記決定部は、前記光伝送路上の伝送信号の空きサブキャリア毎の伝送特性の情報と、前記入力情報の送信に必要な所要容量の情報とに基づき、前記空きサブキャリアを用いた前記入力情報の送出の可否を判断することを特徴とする請求項１に記載の送信装置。
【請求項３】
前記決定部は、前記光伝送路上の伝送信号の空きサブキャリア毎のビット割り当ての情報と、前記入力情報の送信に必要な所要容量の情報とに基づき、前記空きサブキャリアに割り当てるビット数、および前記空きサブキャリアを用いた前記入力情報の送出の可否を判断することを特徴とする請求項１に記載の送信装置。
【請求項４】
前記決定部は、複数の空きサブキャリアの情報に基づき、当該複数の空きサブキャリアを用いた前記入力情報の割り当てを決定し、
前記離散マルチトーン変調部は、入力される情報を、前記決定部によって決定された複数の空きサブキャリアの周波数を用いて変調し、
前記合波部は、前記離散マルチトーン変調部により変調された複数のサブキャリアの変調信号を前記光伝送路上の伝送信号に付加することを特徴とする請求項１〜３のいずれか一つに記載の送信装置。
【請求項５】
前記光伝送路上の前記サブキャリアの周波数と、搬送波との間には、所定の周波数差が設けられており、
前記離散マルチトーン変調部は、前記入力情報を周波数多重化するベースバンドからの周波数差が前記光伝送路上の周波数差に等しいことを特徴とする請求項１〜４のいずれか一つに記載の送信装置。
【請求項６】
光伝送路上の複数のノードがそれぞれ異なる周波数のサブキャリアを搬送波に周波数多重する光周波数分割多重伝送システムに用いられる受信装置において、
前記光伝送路上の伝送信号の空きサブキャリアを分析し、分析結果を前記空きサブキャリアの情報として前記複数のノードに出力する分析部を備えたことを特徴とする受信装置。
【請求項７】
前記分析部は、前記光伝送路上の伝送信号の空きサブキャリアのサブキャリア番号と、サブキャリア数と、多値度とを分析して、前記空きサブキャリアの情報として前記複数のノードに出力することを特徴とする請求項６に記載の受信装置。
【請求項８】
前記光伝送路上の伝送信号のうち、搬送波近傍の周波数の前記サブキャリアを受信する第１の受信機と、
前記光伝送路上の伝送信号のうち、搬送波から所定の周波数差以上離れた周波数の前記サブキャリアを受信する第２の受信機と、
前記光伝送路の終点に設けられ、前記伝送信号を前記第１の受信機と前記第２の受信機とに分配する分配部と、
を有することを特徴とする請求項６または７に記載の受信装置。
【請求項９】
光伝送路上の複数のノードに設けた送信装置がそれぞれ異なる周波数のサブキャリアを搬送波に周波数多重して前記光伝送路の受信装置に情報伝送する光周波数分割多重伝送システムにおいて、
前記送信装置は、
前記光伝送路上の伝送信号の空きサブキャリアの情報が入力され、前記空きサブキャリアを用いた情報の伝送を決定する決定部と、
前記受信装置に送信する入力情報を、前記決定部によって決定された空きサブキャリアの周波数を用いて変調する離散マルチトーン変調部と、
前記離散マルチトーン変調部により変調された変調信号を前記光伝送路上の伝送信号に付加する合波部とを有し、
前記受信装置は、
前記光伝送路上の伝送信号の空きサブキャリアを分析し、分析結果を前記空きサブキャリアの情報として前記複数のノードの前記送信装置に出力する分析部を有することを特徴とする光周波数分割多重伝送システム。
【請求項１０】
前記光伝送路の始点に第２の送信装置を設け、当該第２の送信装置は、
複数の空きサブキャリアの多値度を決定し、複数の前記ノードの前記送信装置に空きサブキャリアの情報を出力して前記送信装置による空きサブキャリアを用いた送信をおこなった後に、
前記受信装置から入力される空きサブキャリアの情報に基づいて、複数の空きサブキャリアに対する前記入力情報の多値度を再度決定する第２の決定部を有することを特徴とする請求項９に記載の光周波数分割多重伝送システム。
【請求項１１】
前記第２の送信装置は、前記空きサブキャリアの情報を、前記光伝送路を用いて複数の前記ノードの前記送信装置に送信することを特徴とする請求項１０に記載の光周波数分割多重伝送システム。
【請求項１２】
前記光伝送路の始点に第２の送信装置を設け、当該第２の送信装置は、
複数の空きサブキャリアの多値度を決定し、複数の前記ノードの前記送信装置に空きサブキャリアの情報を出力して前記送信装置による空きサブキャリアを用いた送信をおこなった後に、
複数の前記ノードの前記送信装置から入力される空きサブキャリアの情報に基づいて、複数の空きサブキャリアに対する前記入力情報の多値度を再度決定する第２の決定部を有することを特徴とする請求項９に記載の光周波数分割多重伝送システム。
【請求項１３】
光伝送路上の複数のノードに設けた送信装置がそれぞれ異なる周波数のサブキャリアを搬送波に周波数多重して前記光伝送路の受信装置に情報伝送する光周波数分割多重伝送システムの光信号通信方法において、
前記受信装置は、
前記光伝送路上の伝送信号の空きサブキャリアを分析し、分析結果を前記空きサブキャリアの情報として前記複数のノードの前記送信装置に出力する出力工程を含み、
前記送信装置は、
前記光伝送路上の伝送信号の空きサブキャリアの情報が入力され、前記空きサブキャリアを用いた情報の伝送を決定する決定工程と、
前記受信装置に送信する入力情報を、前記決定された空きサブキャリアの周波数を用いて離散マルチトーン変調方式により変調する変調工程と、
前記離散マルチトーン変調方式により変調された変調信号を前記光伝送路上の伝送信号に合波させる合波工程と、
を含むことを特徴とする光信号通信方法。
【請求項１４】
前記決定工程は、
前記光伝送路上の伝送信号の空きサブキャリア毎の伝送特性の情報と、前記入力情報の送信に必要な所要容量の情報とに基づき、前記空きサブキャリアを用いた前記入力情報の送出の可否を判断することを含むことを特徴とする請求項１３に記載の光信号通信方法。
【発明の詳細な説明】
【技術分野】
【０００１】
本発明は、搬送光に対してサブキャリア変調信号を付加して伝送する方式の送信装置、受信装置、光周波数分割多重伝送システムおよび光信号通信方法に関する。
【背景技術】
【０００２】
異なる波長（光キャリア周波数）の光信号を多重する技術として、波長分割多重技術（ＷＤＭ：（Ｗａｖｅｌｅｎｇｔｈ  Ｄｉｖｉｓｉｏｎ  Ｍｕｌｔｉｐｌｅｘｉｎｇ）がある。このＷＤＭは、異なる波長の複数の搬送光に対してそれぞれベースバンド変調をおこない、光合分波器により多重・分離をおこなう。このため、狭い波長（周波数）間隔での多重のためには、送信器間および波長分波器において非常に高精度な波長制御が必要となり、狭い波長（周波数）間隔での多重が困難である。
【０００３】
また、光周波数分割多重技術（光ＦＤＭ：Ｆｒｅｑｕｅｎｃｙ−Ｄｉｖｉｓｉｏｎ  Ｍｕｌｔｉｐｌｅｘｉｎｇ）がある。この光ＦＤＭを用いたシステムでは、光ファイバ等の光伝送路に対して、光伝送路の起点に配置された送信装置の光源から搬送光を送信し、光伝送路の途中に複数のノードを設ける。これら複数のノードからそれぞれ異なるサブキャリア周波数のデータ信号を搬送波に乗せて多重伝送させる。そして、光伝送路の終点に配置された受信側（受信装置）において各ノードから送信された情報を受信する（たとえば、下記特許文献１参照。）。
【０００４】
光ＦＤＭを用いたシステムでは、複数のデータ信号を単一の光伝送路上の一つの搬送光に多重するため、受信側では搬送光のみを受信すればよく、波長多重通信（ＷＤＭ）に比して簡単な構成で複数のノードが送信した情報を受信することができる。
【先行技術文献】
【特許文献】
【０００５】
【特許文献１】特開２０１１−２１５６０３号公報
【発明の概要】
【発明が解決しようとする課題】
【０００６】
しかし、従来の光ＦＤＭを用いたシステムでは、周波数利用効率を向上することができなかった。光ＦＤＭシステムの各ノードが送信する信号は、逐次変化する。これに対応して、光ＦＤＭが利用する全周波数領域内には、使用しないノードの周波数（サブキャリア）に空いた周波数領域が生じる。
【０００７】
ここで、空いた周波数領域が離散的な場合、単一キャリアに対応した変調信号による周波数多重をおこなおうとすると、構成が複雑になる。すなわち、搬送波（周波数νｏ）に対する合波信号の周波数位置（周波数差）を決定するためのミキサや周波数発振器が複数必要となり、構成が複雑化し、コスト高となる。
【０００８】
一つの側面では、本発明は、波長分割多重伝送の周波数利用効率を簡単な構成で向上できることを目的とする。
【課題を解決するための手段】
【０００９】
一つの案では、光伝送路上の複数のノードがそれぞれ異なる周波数のサブキャリアを搬送波に周波数多重して前記光伝送路の受信装置に情報伝送する光周波数分割多重伝送システムに用いられ、前記ノードに設けられる送信装置を用いる。この送信装置は、前記光伝送路上の伝送信号の空きサブキャリアの情報が入力され、前記空きサブキャリアを用いた情報の伝送を決定する決定部と、前記受信装置に送信する入力情報を、前記決定部によって決定された空きサブキャリアの周波数を用いて変調する離散マルチトーン変調部と、前記離散マルチトーン変調部により変調された変調信号を前記光伝送路上の伝送信号に付加する合波部と、を有する。
【発明の効果】
【００１０】
一つの実施形態によれば、波長分割多重伝送の周波数利用効率を簡単な構成で向上できる。
【図面の簡単な説明】
【００１１】
【図１】図１は、実施の形態１にかかる光周波数分割多重伝送システムを示す図である。
【図２】図２は、光周波数分割多重伝送システムにおける新たなサブキャリア割り当ての処理を示すフローチャートである。
【図３】図３は、サブキャリア別の伝送特性例を示す図表である。
【図４】図４は、搬送波の変調状態を示す図表である。
【図５】図５は、実施の形態２にかかる光周波数分割多重伝送システムを示す図である。
【図６】図６は、実施の形態３にかかる光周波数分割多重伝送システムを示す図である。
【図７】図７は、実施の形態４にかかる光周波数分割多重伝送システムを示す図である。
【発明を実施するための形態】
【００１２】
（実施の形態１）
以下に添付図面を参照して、開示技術の好適な実施の形態を詳細に説明する。図１は、実施の形態１にかかる光周波数分割多重伝送システムを示す図である。
【００１３】
この光周波数分割多重（光ＦＤＭ）伝送システム１００は、光ファイバ等の光伝送路１０１と、光伝送路１０１上に配置される複数の通信装置とを含む。この通信装置は、機能別に大別して、光源１０２と、光伝送路１０１上の複数のノード（送信装置）１０３と、受信機（受信装置）１０４と、を含む。
【００１４】
光伝送路１０１の起点（一端）には光源１０２が設けられる。光源１０２は、レーザダイオード（ＬＤ）等を含み、光伝送路１０１に対してＣＷ光等の搬送波（周波数νｏ）を出射する。光伝送路１０１上には、複数（１〜Ｎ）のノード１０３が設けられる。ノード１０３は、光ＦＤＭ合波器１０３ａと、送信機１０３ｂとを含む。各ノード１０３は、個別に情報を光伝送路１０１上に送出することにより、光伝送路１０１上の伝送信号に情報を付加（挿入あるいは追加）し、受信機１０４に伝送させるデータ送信機能を有する。受信機１０４は、光伝送路１０１の終点（他端）に設けられる。受信機１０４は、光伝送路１０１上の複数のノード１０３から送信された情報を一括受信する。
【００１５】
図１に記載した一つのノードＫ（１０３）の内部構成を説明する。他のノード１〜ＮもノードＫと同様に構成されている。ノード１０３の送信機１０３ｂは、所要容量設定部１１１と、ビット割当決定部１１２と、離散マルチトーン（ＤＭＴ：Ｄｉｓｃｒｅｔｅ  Ｍｕｌｔｉ  Ｔｏｎｅ）変調をおこなうＤＭＴ変調部１１３と、ＤＭＴ送信器１１４とを含む。所要容量設定部１１１は、このノードＫが送信するデータ量を設定する。図示しない検出部がデータ量の変動を検出し、検出した値が常に更新設定される。
【００１６】
ビット割当決定部１１２には、受信機１０４から送信される空きのサブキャリアのビット割当情報Ｄと、所要容量設定部１１１の所要容量とが入力される。このビット割当決定部１１２は、所要容量と、サブキャリアのビット割当情報Ｄとに基づいて、自ノード１０３が送信する情報のビットを割り当てるサブキャリアと、割り当てビット数とを決定する。
【００１７】
ＤＭＴ変調部１１３は、ビット割当決定部１１２により決定されたサブキャリアに対し送信するビット数を割り当て、外部から入力されるデータに対するＤＭＴ変調信号を出力する。このＤＭＴ変調部１１３では、複数のサブキャリアの中心周波数に対して正確かつ、同時に情報（データ）を変調することができる。ＤＭＴ送信器１１４は、ＤＭＴ変調部１１３によるＤＭＴ変調信号を光出力する。光ＦＤＭ合波器１０３ａは、送信機１０３ｂから出力されたＤＭＴ変調信号を搬送波に合波させる。ここで、サブキャリア周波数と、搬送波との周波数差ｆ１は、ＤＭＴ信号のベースバンドからの周波数差に対応している。
【００１８】
つぎに、受信機１０４は、光フィルタ１２１と、受信器１２２と、ＤＭＴ復調部１２３と、電気スペクトル分析部１２４と、サブキャリア特性分析部１２５とを含む。
【００１９】
光フィルタ１２１は、光伝送路１０１を介して受信した光信号の一方の側波帯（たとえば上側波帯）のみ通過させるフィルタが用いられる。受信器１２２は、光信号を電気信号に変換するフォトディテクタ（ＰＤ）を含む。ＤＭＴ復調部１２３は、受信器１２２が出力する電気信号をＤＭＴ復調し、サブキャリアのデータ成分を復調し、外部出力する。
【００２０】
電気スペクトル分析部１２４は、受信器１２２の出力の電気スペクトルを分析出力する。たとえば、周波数軸上のサブキャリア番号、サブキャリア数、多値度を分析出力する。サブキャリア特性分析部１２５は、電気スペクトル分析部１２４の出力と、ＤＭＴ復調部１２３の出力とに基づいて、新たに割り当て可能な空きサブキャリアの状態を分析する。図示のようにサブキャリア特性分析部１２５における分析は、ｓｔｅｐ１：現在使用中のサブキャリア番号、サブキャリア数、多値度の分析をおこなう。この後、ｓｔｅｐ２：新たに割り当て可能な空きのサブキャリアについて、サブキャリア番号、サブキャリア数、多値度の分析をおこなう。そして、新たに割り当て可能な空きのサブキャリア（図中Ｃ）のビット割当情報Ｄを各ノード１〜Ｎ（１０３）に出力する。
【００２１】
上述したＤＭＴ変調方式は、マルチキャリア変調方式の一つであり、複数のサブキャリアに伝送特性に応じたビット数を割り当てることができる。そして、Ｓ／Ｎ比が良好であれば多値度を増大できるとともに、サブキャリア毎にビット数（容量）を設定できる。これにより、簡易な構成で周波数利用効率を向上できる。
【００２２】
図２は、光周波数分割多重伝送システムにおける新たなサブキャリア割り当ての処理を示すフローチャートである。図１に示した受信機１０４、およびノード１０３がおこなう処理例を記載している。
【００２３】
受信機１０４がステップＳ２０１〜ステップＳ２０６までの処理をおこない、その後に各ノードがステップＳ２０７，ステップＳ２０８の処理をおこなう。はじめに受信機１０４は、光伝送路１０１の光信号（伝送信号）を受信器１２２で検出し、電気スペクトル分析部１２４により電気スペクトルを分析する（ステップＳ２０１）、つぎに、サブキャリア特性分析部１２５により、新たにビット割り当て可能なサブキャリア番号を抽出する（ステップＳ２０２）。そして、受信機１０４は、抽出したサブキャリアの番号をサブキャリアのビット割当情報Ｄに含ませて各ノード１〜Ｎ（１０３）に送信する（ステップＳ２０３）。
【００２４】
つぎに、受信機１０４のサブキャリア特性分析部１２５は、ビット割り当て可能なサブキャリア番号を用いてＤＭＴ変調信号のプロービングをおこなう（ステップＳ２０４）。たとえば、空きのサブキャリアに初期値（割り当てビット数：たとえば２値）を設定し、このビット設定値をサブキャリアのビット割当情報Ｄに含ませて各ノード１〜Ｎ（１０３）に送信する。
【００２５】
この後、プロービングに対応して各ノード１〜Ｎ（１０３）は、割り当てビットの初期値により空きのサブキャリアを用いた送信をおこない、ＤＭＴ復調部１２３がサブキャリアを受信する。そして、サブキャリア特性分析部１２５は、この伝送結果を元に、各サブキャリアに割り当て可能な多値度を見積もる（ステップＳ２０５）。そして、サブキャリア特性分析部１２５は、各サブキャリアに割り当て可能な多値度をサブキャリアのビット割当情報Ｄに含ませて各ノード１〜Ｎ（１０３）に送信する（ステップＳ２０６）。受信機１０４から各ノード１〜Ｎ（１０３）に対するサブキャリアのビット割当情報Ｄの伝送は、光伝送路１０１とは別の光伝送路を用いたり、有線および無線通信によりおこなうことができる。
【００２６】
つぎに、ノード１０３では、ビット割当決定部１１２に受信機１０４からのサブキャリアのビット割当情報Ｄが入力される。そして、ビット割当決定部１１２は、伝送可能容量が所要容量以下であるか判断する（ステップＳ２０７）。伝送可能容量は、サブキャリアのビット割当情報Ｄが示す空きのサブキャリア数と、サブキャリア毎に設定可能な多値度によって得られ、自ノード１０３が送信しようとするデータ量に対応した所要容量と比較して判断できる。
【００２７】
ステップＳ２０７の判断の結果、伝送可能容量が所要容量以下であれば（ステップＳ２０７：Ｙｅｓ）、ノード１０３では新たなサブキャリアの割り当てをおこなわず処理を終了する。一方、伝送可能容量が所要容量を超えていれば（ステップＳ２０７：Ｎｏ）、新たなサブキャリアを用いた情報送信が可能と判断する。そして、ビット割当決定部１１２は、ビットを割り当てるサブキャリアと、割り当てビット数を決定する（ステップＳ２０８）。この後、ノード１０３は、割り当てた新たなサブキャリアを含むＤＭＴ変調により、より多くのデータ等の情報を光伝送路１０１に送出できるようになる。
【００２８】
ここで、空きサブキャリアは一つまたは複数の場合があり、各ノード１〜Ｎ（１０３）は、所要容量に応じた数のサブキャリアを用いて情報を送出できる。これら各ノード１〜Ｎは、既に情報を送出している途中で、空きサブキャリアを用いてさらに情報を追加送出する形となる。光伝送路１０１上の複数のノード１〜Ｎ（１０３）が同様に情報が追加送出可能な状態となる。したがって、各ノード１〜Ｎ（１０３）はそれぞれ追加送出のために使用可能なサブキャリア数の制限をビット割当決定部１１２等に設定しておく。これにより、光伝送路１０１上の各ノード１〜Ｎ（１０３）のうち特定のノードが空きサブキャリアを占有することを防止できる。
【００２９】
また、ステップＳ２０４に示したプロービングの処理を省く構成としてもよい。サブキャリア特性分析部１２５が予めサブキャリアの伝送パラメータをテーブル等に設定しておく構成にできる。これにより、サブキャリア特性分析部１２５におけるビット割り当ての初期値の設定、各ノード１〜Ｎ（１０３）へのプロービングの送信要求、ＤＭＴ復調部１２３における再度の伝送特性の取得、等の処理を省くことができる。
【００３０】
上記構成によれば、空きサブキャリアが生じたときに、先に新たなサブキャリアを含む送信をおこなったノード１０３の順に帯域を増大できるようになる。これに限らず、ノード１０３に所定の優先度を付しておき、優先度が高いノード１０３から順にサブキャリア割り当てをおこなうように構成してもよい。
【００３１】
さらには、各ノード１０３の所要容量が常に変化することに対応し、各ノード１０３の所要容量を定期的に受信機１０４に送出し、受信機１０４のサブキャリア特性分析部１２５が各ノード１０３に対して、優先順を送信する構成としてもよい。この場合には、サブキャリア特性分析部１２５は、所要容量が多いノード１０３に優先的に空きのサブキャリアを割り当てる優先度の情報を併せて各ノード１０３に送信すればよい。また、優先度は、所要容量に限らず、伝送速度等のサービス種別に対応させて設定してもよい。
【００３２】
図３は、サブキャリア別の伝送特性例を示す図表である。たとえば、図表３３０に示すように、周波数軸上にそれぞれ異なるサブキャリア１〜Ｎを割り当てたとき、図表３３１に示すように、サブキャリア番号別にたとえば伝送容量が異なる。これに対応して、伝送特性の許容範囲内でサブキャリア番号別に伝送容量を異ならせる割り当てをおこなう。これにより、Ｓ／Ｎ比が良好なサブキャリアの多値度を増大できるとともに、周波数利用効率を向上できるようになる。また、任意の周波数にサブキャリアを設定することもできるようになる。
【００３３】
以上説明したように、光ＦＤＭ方式において、使用しない空きのサブキャリアを検出し、複数のノードは、ＤＭＴ変調により、このサブキャリアを用いた情報送出が可能となる。これにより、光ＦＤＭに用いる周波数利用効率を向上できるとともに、伝送容量を増大できるようになる。特に、空きのサブキャリアが歯抜けの如く飛び飛びに生じた場合でも、サブキャリア単位で空きを埋めることができるため、信号の輻輳がなく周波数利用効率を向上できるようになる。また、複数のミキサや周波数発信源を用いずにマルチキャリア伝送の空きサブキャリアを埋める光周波数多重が可能であり、簡易な構成で低コスト化できる。
【００３４】
（実施の形態２）
実施の形態２は、光伝送路１０１終端の受信機１０４が異なる受信方法の受信機（搬送波付加信号用受信機と、光ＦＤＭ付加信号用受信機）を有する構成である。
【００３５】
図４は、搬送波の変調状態を示す図表である。搬送波に変調を加えると、図示のように、搬送波の両側に上側波帯と下側波帯が生じる。実施の形態２では、搬送波近傍の周波数を変調し、搬送波付加信号を搬送波付加信号用受信機（図５の１０４ｂ）で直接受信する構成である。この場合、搬送波付加信号用受信機１０４ｂでは、２つの側波帯の位相差が小さいため、受信時に互いに干渉した場合には、強め合い受信することができる。
【００３６】
一方、搬送波に対し所定の周波数差ｆ１以上を有するＤＭＴ信号（以下の光ＦＤＭ付加信号）を直接受信する場合には、この２つの側波帯の位相が逆位相に近い状態になっている。このため、受信時に互いに干渉した場合に、打ち消し合い受信することができない。したがって、光ＦＤＭ付加信号用受信機（図５の１０４ａ）については、受信時に片方の側波帯を光フィルタで除去するか、または、比較的大きな波長分散を付加してやることにより、２つの側波帯の位相差を生じさせて、干渉しても受信可能なようにしている。
【００３７】
図５は、実施の形態２にかかる光周波数分割多重伝送システムを示す図である。実施の形態１と同様の構成には同一の符号を付してある。
【００３８】
光伝送路１０１の起点には、搬送波付加信号用送信器５０１が設けられ、搬送波と搬送波付加信号とを送出する。光伝送路１０１上に配置される複数のノード１〜Ｎ（１０３）は、実施の形態１と同様の構成である。各ノード１〜Ｎ（１０３）は、光ＦＤＭ付加信号を送出する。また、光伝送路１０１の終点に設けられる受信機１０４は、光ＦＤＭ付加信号を受信する光ＦＤＭ付加信号用受信機１０４ａと、搬送波付加信号を受信する搬送波付加信号用受信機１０４ｂとを含む。
【００３９】
上述したサブキャリアのビット割当情報Ｄは、搬送波付加信号用送信器５０１および複数のノード１〜Ｎ（１０３）に送信される。搬送波付加信号用送信器５０１は、サブキャリアのビット割当情報Ｄにより搬送波近傍の空きサブキャリアに対するビット割り当てを設定する。複数のノード１〜Ｎ（１０３）は、光ＦＤＭ付加信号の空きサブキャリアに対するビット割り当てを設定する。
【００４０】
搬送波付加信号用送信器５０１は、ビット割当決定部５０２と、ＤＭＴ変調部５０３と、ＤＭＴ送信器５０４とを含む。ビット割当決定部５０２は、上述した（送信機１０３ｂに設ける）ビット割当決定部１１２と同様の構成である。このビット割当決定部５０２には、空きのサブキャリアのビット割当情報Ｄが入力され、送信する情報のビットを割り当てるサブキャリアと、割り当てビット数とを決定する。ＤＭＴ変調部５０３は、ビット割当決定部５０２により決定されたビット数を空きのサブキャリアに割り当て、搬送波のマルチキャリア信号（ＤＭＴ変調信号）を出力する。ＤＭＴ送信器５０４は、ＤＭＴ変調部５０３によるＤＭＴ変調信号を光伝送路１０１に光出力する。
【００４１】
搬送波付加信号用送信器５０１は、マルチキャリア信号により、光伝送路１０１終点の受信機１０４に限らず、光伝送路１０１上の複数のノード１〜Ｎ（１０３）に対して情報（たとえば制御情報）を送出することができる。ノード１〜Ｎ（１０３）に、搬送波付加信号を分波して受信する受信部を設けることにより、搬送波付加信号用送信器５０１が送出する搬送波付加信号を取り出すことができる。
【００４２】
光伝送路１０１の終点に設けられる受信機１０４は、異なる受信方法の２つの受信機（光ＦＤＭ付加信号用受信機１０４ａと、搬送波付加信号用受信機１０４ｂ）からなる。光伝送路１０１の終点には、分配器５１０を設けて光信号（伝送信号）をこれら光ＦＤＭ付加信号用受信機１０４ａと、搬送波付加信号用受信機１０４ｂに分配する。
【００４３】
光ＦＤＭ付加信号用受信機１０４ａは、ノード１〜Ｎ（１０３）が送出する光ＦＤＭ付加信号を受信する。各ノード１〜Ｎは、ＤＭＴ変調により、搬送波に対して周波数差ｆ１以上を有するサブキャリアを送信している。光フィルタ１２１は、搬送波の一方の側波帯（たとえば上側波帯）を通過させ、受信器１（１２２ａ）により光信号を検出させる。そして、ＤＭＴ復調部１（１２３ａ）により、各ノード１〜Ｎ（１０３）が送信した光ＦＤＭ付加信号をＤＭＴ復調し、外部出力する。ＤＭＴ復調部１（１２３ａ）は、搬送波からの周波数差ｆ１を超える周波数領域を電気的なフィルタで抽出する。
【００４４】
電気スペクトル分析部１（１２４ａ）は、受信器１（１２２ａ）の出力（光ＦＤＭ付加信号）の電気スペクトルを分析出力する。サブキャリア特性分析部１（１２５ａ）は、電気スペクトル分析部１（１２４ａ）の出力と、ＤＭＴ復調部１（１２３ａ）の出力とに基づいて、新たに割り当て可能なサブキャリアの状態を分析する。図示のようにサブキャリア特性分析部１（１２５ａ）における分析は、ｓｔｅｐ１：現在使用中のサブキャリア番号、サブキャリア数、多値度の分析をおこなう。この後、ｓｔｅｐ２：新たに割り当て可能な空きのサブキャリア番号、サブキャリア数、多値度の分析をおこなう。そして、新たに割り当て可能な空きのサブキャリア（図中Ｃ１）の情報をサブキャリア特性分析部３（１２５ｃ）に出力する。
【００４５】
搬送波付加信号用受信機１０４ｂは、搬送波付加信号を受信するため、上述のように、フィルタは不要であり、受信機２（１２２ｂ）により光信号を検出し、ＤＭＴ復調部２（１２３ｂ）により直接、搬送波付加信号を復調できる。ＤＭＴ復調部２（１２３ｂ）は、搬送波からの周波数差ｆ１以内の周波数領域を電気的なフィルタで抽出する。これにより、搬送波付加信号用送信器５０１が送出する搬送波付加信号を受信可能とする。光フィルタを不要にできる分、光信号のパワー損失を抑えて、ＳＮ比が良好に受信できる。
【００４６】
電気スペクトル分析部２（１２４ｂ）は、受信器２（１２２ｂ）の出力（搬送波付加信号）の電気スペクトルを分析出力する。サブキャリア特性分析部２（１２５ｂ）は、電気スペクトル分析部２（１２４ｂ）の出力と、ＤＭＴ復調部２（１２３ｂ）の出力とに基づいて、新たに割り当て可能な搬送波近傍（周波数差ｆ１以内）のサブキャリアの状態を分析する。図示のようにサブキャリア特性分析部２（１２５ｂ）における分析は、ｓｔｅｐ１：現在使用中の搬送波近傍のサブキャリア番号、サブキャリア数、多値度の分析をおこなう。この後、ｓｔｅｐ２：新たに割り当て可能な空きのサブキャリア番号、サブキャリア数、多値度の分析をおこなう。そして、新たに割り当て可能な空きのサブキャリア（図中Ｃ２）の情報をサブキャリア特性分析部３（１２５ｃ）に出力する。
【００４７】
サブキャリア特性分析部３（１２５ｃ）は、サブキャリア特性分析部１（１２５ａ）と、サブキャリア特性分析部２（１２５ｂ）の出力結果を統合して分析し、分析結果として新たに割り当て可能な搬送波用信号の空きのサブキャリア（図中Ｃ１）の情報、および光ＦＤＭ用信号の空きのサブキャリア（図中Ｃ２）の情報を各ノード１〜Ｎ（１０３）に出力する。
【００４８】
上記構成の光ＦＤＭ付加信号用受信機１０４ａと、搬送波付加信号用受信機１０４ｂは、単一の受信機１０４の筐体内に収容でき、サブキャリア特性分析部３（１２５ｃ）もこの受信機１０４の筐体内に収容できる。また、サブキャリア特性分析部１〜３（１２５ａ〜１２５ｃ）の機能を一つにまとめてもよい。
【００４９】
上記のように、搬送波付加信号と、光ＦＤＭ付加信号は、分配器により分配してそれぞれの受信機に分けて受信する。各受信機では、搬送波付加信号、および光ＦＤＭ付加信号について、電気スペクトル分析してサブキャリアの利用状況をモニタし、ＤＭＴ復調結果により、伝送特性に応じたビット割り当てをおこなう。そして、搬送波付加信号用送信器および各ノードでは、空きのサブキャリアを利用した送信をおこなうことができる。また、サブキャリアの伝送特性に応じたビット割り当てをおこなうことができる。これにより、周波数利用効率を向上できるようになる。
【００５０】
また、搬送波近傍のサブキャリアを受信する搬送波付加信号用受信機と、搬送波から周波数差ｆ１離れた光ＦＤＭ付加信号を受信する光ＦＤＭ付加信号用受信機とに分けている。これにより、搬送波付加信号用受信機では光フィルタを用いる必要がなく、構成を簡単にできる。
【００５１】
（実施の形態３）
実施の形態３は、光伝送路の起点に設ける送信機が各ノードにおけるビットの割り当てを決定する構成である。図６は、実施の形態３にかかる光周波数分割多重伝送システムを示す図である。
【００５２】
光伝送路１０１の起点には、送信機Ａ（６０１）を設ける。この送信機Ａ（６０１）は、搬送光の光源（ＬＤ）１０２と、ビット割当決定部６０２と、ビット割当情報送信器６０３とを含む。ビット割当決定部６０２は、空きサブキャリアに対するビット割当情報Ｂをビット割当情報送信器６０３を介して各ノード１〜Ｎ（１０３）に送信する。
【００５３】
ノード１〜Ｎ（１０３）は、実施の形態２同様の構成に加えて、送信機１０３ｂにビット割当情報受信器６０５を設けている。ビット割当情報受信器６０５は、送信機Ａ（６０１）のビット割当決定部６０２から送信されたビット割当情報Ｂを受信し、ビット割当決定部１１２に出力する。
【００５４】
受信機１０４の構成は、実施の形態１同様である。
【００５５】
上記構成によれば、ノードＫ（１０３）では、送信機Ｋ（１０３ｂ）のビット割当決定部１１２が、所要容量と割り当てビット数から伝送容量を決定する。そして、送信機Ａ（６０１）から指示されたビット割当情報Ｂを元にしたマルチキャリア信号をＤＭＴ変調部１１３により変調出力する。そして、ＤＭＴ送信器１１４を用いて光信号を生成し、光ＦＤＭ合波器１０３ａにより光伝送路１０１上の伝送信号に情報を付加する。
【００５６】
他の各ノード１〜Ｎ（１０３）についても同様に、送信機１〜Ｎ（１０３ｂ）により生成されたマルチキャリア光信号（ＤＭＴ光信号）を光ＦＤＭ合波器１０３ａを用いて、光伝送路１０１の伝送信号に付加していく。各ノード１〜Ｎ（１０３）で付加された光ＦＤＭ付加信号は、光伝送路１０１終点の受信機１０４にて受信される。
【００５７】
このように、実施の形態３では光ＦＤＭ方式の使用周波数領域について、サブキャリア毎のビット割り当てを送信機Ａにより集中して決定することができる。複数のノード１〜Ｎ（１０３）は、ビット割当情報に基づいてサブキャリア毎の多値度を簡単に決定できるようになる。
【００５８】
上記構成に加えて、実施の形態２において説明したサブキャリア特性の分析をおこなうようにしてもよい。図６に記載した受信機１０４のサブキャリア特性分析部１２５は、電気スペクトル分析部１２４とＤＭＴ復調部１２３のＤＭＴ復調結果により、サブキャリアの利用状況をモニタする。そして、ＤＭＴ復調結果により、伝送特性に応じたビット割り当てを分析する。サブキャリア特性分析部１２５は、この分析結果を送信機Ａ（６０１）のビット割当決定部６０２にビット割当情報Ｄとしてフィードバック送信する。
【００５９】
これにより、各ノード１〜Ｎ（１０３）の送信機１０３ｂは、それぞれビット割り当てを再度実行（見直し）する。したがって、サブキャリアの利用状況を監視して、各ノード１〜Ｎ（１０３）が空きサブキャリアを使用でき、かつサブキャリアの伝送特性に対応した多値度を有したデータ送信がおこなえ、光ＦＤＭ方式における周波数利用効率を向上できるようになる。
【００６０】
また、送信機Ａ（６０１）のビット割当決定部６０２には、各ノード１〜Ｎ（１０３）の送信機１０３ｂから送信されたビット割り当ての情報Ｅが入力される構成としてもよい。ビット割当決定部６０２は、空きサブキャリアに対するビット割当情報Ｂを各ノード１〜Ｎ（１０３）に送信する。このように、サブキャリアの利用状況をフィードバックして、ビット割り当てを変更してもよい。
【００６１】
なお、ビット割当情報Ｂを送受信する変調信号の変調方式は任意である。また、ビット割当情報Ｂは、光伝送路１０１上に送出するに限らず他の伝送形態としてもよい。
【００６２】
（実施の形態４）
実施の形態４は、光伝送路の起点に設ける送信機が各ノードにおけるビットの割り当てを粗調整した後、受信機が各ノードのビットの割り当てを微調整する構成である。図７は、実施の形態４にかかる光周波数分割多重伝送システムを示す図である。
【００６３】
実施の形態３との違いは、受信機１０４のサブキャリア特性分析部１２５から出力するビット割当情報Ｄを各ノード１〜Ｎ（１０３）のビット割当決定部１１２に入力させている点である。
【００６４】
上記構成では、はじめに、送信機Ａ（６０１）のビット割当決定部６０２で決めた（粗調整に相当）ビット割当情報Ｂをビット割当情報送信器６０３から出力する。そのビット割当情報Ｂは、各ノード１〜Ｎ（１０３）の送信機１０３ｂのビット割当情報受信器６０５で受信され、ビット割当決定部１１２に送られる。
【００６５】
ノードＫ（１０３）は、送信機Ｋ（１０３ｂ）のビット割当決定部１１２が所要容量と割り当てビット数から伝送容量を決定する。そして、送信機Ａ（６０１）から指示されたビット割り当てを元にしたマルチキャリア信号をＤＭＴ変調部１１３により変調出力する。そして、ＤＭＴ送信器１１４を用いて光信号を生成し、光ＦＤＭ合波器１０３ａにより光伝送路１０１上の伝送信号に情報を付加する。
【００６６】
他の各ノード１〜Ｎ（１０３）についても同様に、送信機１〜Ｎ（１０３ｂ）により生成されたマルチキャリア光信号（ＤＭＴ光信号）を光ＦＤＭ合波器１０３ａを用いて、光伝送路１０１の伝送信号に付加していく。各ノード１〜Ｎ（１０３）で付加された光ＦＤＭ付加信号は、光伝送路１０１終点の受信機１０４にて受信される。
【００６７】
この後、受信機Ａ（１０４）のサブキャリア特性分析部１２５は、電気スペクトル分析部１２４とＤＭＴ復調部１２３の復調結果により、サブキャリアの利用状況をモニタする。そして、ＤＭＴ復調結果により、伝送特性に応じたビット割り当てを分析する。サブキャリア特性分析部１２５は、この分析結果を各ノード１〜Ｎ（１０３）の送信機１０３ｂのビット割当決定部１１２にビット割当情報Ｄとしてフィードバック送信する。
【００６８】
これにより、各ノード１〜Ｎ（１０３）は、送信機１０３ｂのビット割当決定部１１２がビット割り当てを伝送特性に応じて微調整する。
【００６９】
上記構成に加えて、各ノード１〜Ｎ（１０３）の送信機１０３ｂのビット割当決定部１１２がそれぞれ送信機Ａ（６０１）のビット割当決定部６０２にビット割当情報Ｅ（図６参照）をフィードバック出力する構成とし、送信機Ａ（６０１）におけるビット割り当ての変更に用いてもよい。
【００７０】
実施の形態４によれば、実施の形態３のように、送信機Ａ（６０１）が集中制御する必要がない。この実施の形態４では光ＦＤＭ方式の使用周波数領域について、サブキャリア毎のビット割り当てを送信機Ａにより粗調整し、空きサブキャリアを用いた伝送特性を受信機１０４が特性分析し、各ノード１〜Ｎ（１０３）にビット割当情報Ｄをフィードバックする。これにより、各ノード１〜Ｎ（１０３）の送信機１０３ｂは、サブキャリア毎のビット割り当てを再度実行（見直し）できる。このように実施の形態４によれば、サブキャリアの伝送特性により対応した多値度をより正確に求めてデータ送信がおこなえ、光ＦＤＭ方式における周波数利用効率をより向上できるようになる。
【００７１】
上述した実施の形態において、受信機１０４に設けた電気スペクトル分析部１２４は、予めサブキャリア番号毎にサブキャリアの中心周波数が設定されており（グリッド化）、各サブキャリア番号付近の電気スペクトルだけをモニタする構成としてもよい。これにより、電気スペクトル分析部１２４におけるサブキャリアを簡易に検出できるようになる。
【００７２】
また、上記実施の形態の送信機１０３ｂのＤＭＴ送信器１１４としては各種を用いることができ、直接変調レーザ（ＤＭＬ：Ｄｉｒｅｃｔｌｙ  Ｍｏｄｕｌａｔｅｄ  Ｌａｓｅｒ）や、ＥＡ変調器とレーザ集積モジュールからなるＥＭＬ（Ｅｌｅｃｔｒｏ−ａｂｓｏｒｐｔｉｏｎ  Ｍｏｄｕｌａｔｏｒ  Ｉｎｔｅｇｒａｔｅｄ  Ｌａｓｅｒ  Ｄｉｏｄｅ）を用いたり、レーザとＬＮ変調器（たとえばＩｎＰ−ＭＺ変調器等）の組み合わせを用いることができる。
【００７３】
また、光伝送路１０１の途中に光増幅中継器を設け、伝送信号を光増幅する構成としてもよい。
【００７４】
以上説明した各実施の形態によれば、光ＦＤＭ伝送システムにより、光伝送路の複数のノードがノード付加信号情報を送出し、受信装置で一括受信できるようになる。光ＦＤＭシステムの各ノードが送信する信号は、逐次変化する。これに対応して、光ＦＤＭが利用する全周波数領域内には、使用しないノードの周波数（サブキャリア）に空いた周波数領域が生じる。そして、この光ＦＤＭ伝送システムでは、空きサブキャリアを検出および分析した結果に基づき、送信装置は、ＤＭＴ変調により空きサブキャリアを用いた情報の送出をおこなうことができる。
【００７５】
この際、ＤＭＴ変調により、空きサブキャリアの中心周波数上に正確に情報を変調することができ、複数のサブキャリアに対する変調を同時におこなうことができる。特に、空きサブキャリアが離散的に生じてもこれに対応できる。これにより、空きサブキャリアが生じた場合に、この空きサブキャリアを用いた追加の情報を簡単な構成により、正確に周波数多重化して送信できる。したがって、光ＦＤＭ伝送の周波数利用効率を向上できるようになる。
【００７６】
上述した各実施の形態に関し、さらに以下の付記を開示する。
【００７７】
（付記１）光伝送路上の複数のノードがそれぞれ異なる周波数のサブキャリアを搬送波に周波数多重して前記光伝送路の受信装置に情報伝送する光周波数分割多重伝送システムに用いられ、前記ノードに設けられる送信装置において、
前記光伝送路上の伝送信号の空きサブキャリアの情報が入力され、前記空きサブキャリアを用いた情報の伝送を決定する決定部と、
前記受信装置に送信する入力情報を、前記決定部によって決定された空きサブキャリアの周波数を用いて変調する離散マルチトーン変調部と、
前記離散マルチトーン変調部により変調された変調信号を前記光伝送路上の伝送信号に付加する合波部と、
を有することを特徴とする送信装置。
【００７８】
（付記２）前記決定部は、前記光伝送路上の伝送信号の空きサブキャリア毎の伝送特性の情報と、前記入力情報の送信に必要な所要容量の情報とに基づき、前記空きサブキャリアを用いた前記入力情報の送出の可否を判断することを特徴とする付記１に記載の送信装置。
【００７９】
（付記３）前記決定部は、前記光伝送路上の伝送信号の空きサブキャリア毎のビット割り当ての情報と、前記入力情報の送信に必要な所要容量の情報とに基づき、前記空きサブキャリアに割り当てるビット数、および前記空きサブキャリアを用いた前記入力情報の送出の可否を判断することを特徴とする付記１に記載の送信装置。
【００８０】
（付記４）前記決定部は、複数の空きサブキャリアの情報に基づき、当該複数の空きサブキャリアを用いた前記入力情報の割り当てを決定し、
前記離散マルチトーン変調部は、入力される情報を、前記決定部によって決定された複数の空きサブキャリアの周波数を用いて変調し、
前記合波部は、前記離散マルチトーン変調部により変調された複数のサブキャリアの変調信号を前記光伝送路上の伝送信号に付加することを特徴とする付記１〜３のいずれか一つに記載の送信装置。
【００８１】
（付記５）前記光伝送路上の前記サブキャリアの周波数と、搬送波との間には、所定の周波数差が設けられており、
前記離散マルチトーン変調部は、前記入力情報を周波数多重化するベースバンドからの周波数差が前記光伝送路上の周波数差に等しいことを特徴とする付記１〜４のいずれか一つに記載の送信装置。
【００８２】
（付記６）光伝送路上の複数のノードがそれぞれ異なる周波数のサブキャリアを搬送波に周波数多重する光周波数分割多重伝送システムに用いられる受信装置において、
前記光伝送路上の伝送信号の空きサブキャリアを分析し、分析結果を前記空きサブキャリアの情報として前記複数のノードに出力する分析部を備えたことを特徴とする受信装置。
【００８３】
（付記７）前記分析部は、前記光伝送路上の伝送信号の空きサブキャリアのサブキャリア番号と、サブキャリア数と、多値度とを分析して、前記空きサブキャリアの情報として前記複数のノードに出力することを特徴とする付記６に記載の受信装置。
【００８４】
（付記８）前記光伝送路上の伝送信号のうち、搬送波近傍の周波数の前記サブキャリアを受信する第１の受信機と、
前記光伝送路上の伝送信号のうち、搬送波から所定の周波数差以上離れた周波数の前記サブキャリアを受信する第２の受信機と、
前記光伝送路の終点に設けられ、前記伝送信号を前記第１の受信機と前記第２の受信機とに分配する分配部と、
を有することを特徴とする付記６または７に記載の受信装置。
【００８５】
（付記９）前記第２の受信機は、前記伝送信号に含まれる搬送波の両側波帯のうち一方の側波帯を通過させるフィルタを有することを特徴とする付記８に記載の受信装置。
【００８６】
（付記１０）光伝送路上の複数のノードに設けた送信装置がそれぞれ異なる周波数のサブキャリアを搬送波に周波数多重して前記光伝送路の受信装置に情報伝送する光周波数分割多重伝送システムにおいて、
前記送信装置は、
前記光伝送路上の伝送信号の空きサブキャリアの情報が入力され、前記空きサブキャリアを用いた情報の伝送を決定する決定部と、
前記受信装置に送信する入力情報を、前記決定部によって決定された空きサブキャリアの周波数を用いて変調する離散マルチトーン変調部と、
前記離散マルチトーン変調部により変調された変調信号を前記光伝送路上の伝送信号に付加する合波部とを有し、
前記受信装置は、
前記光伝送路上の伝送信号の空きサブキャリアを分析し、分析結果を前記空きサブキャリアの情報として前記複数のノードの前記送信装置に出力する分析部を有することを特徴とする光周波数分割多重伝送システム。
【００８７】
（付記１１）前記光伝送路の始点に第２の送信装置を設け、当該第２の送信装置は、
複数の空きサブキャリアの多値度を決定し、複数の前記ノードの前記送信装置に空きサブキャリアの情報を出力して前記送信装置による空きサブキャリアを用いた送信をおこなった後に、
前記受信装置から入力される空きサブキャリアの情報に基づいて、複数の空きサブキャリアに対する前記入力情報の多値度を再度決定する第２の決定部を有することを特徴とする付記１０に記載の光周波数分割多重伝送システム。
【００８８】
（付記１２）前記第２の送信装置は、前記空きサブキャリアの情報を、前記光伝送路を用いて複数の前記ノードの前記送信装置に送信することを特徴とする付記１１に記載の光周波数分割多重伝送システム。
【００８９】
（付記１３）前記光伝送路の始点に第２の送信装置を設け、当該第２の送信装置は、
複数の空きサブキャリアの多値度を決定し、複数の前記ノードの前記送信装置に空きサブキャリアの情報を出力して前記送信装置による空きサブキャリアを用いた送信をおこなった後に、
複数の前記ノードの前記送信装置から入力される空きサブキャリアの情報に基づいて、複数の空きサブキャリアに対する前記入力情報の多値度を再度決定する第２の決定部を有することを特徴とする付記１０に記載の光周波数分割多重伝送システム。
【００９０】
（付記１４）光伝送路上の複数のノードに設けた送信装置がそれぞれ異なる周波数のサブキャリアを搬送波に周波数多重して前記光伝送路の受信装置に情報伝送する光周波数分割多重伝送システムの光信号通信方法において、
前記受信装置は、
前記光伝送路上の伝送信号の空きサブキャリアを分析し、分析結果を前記空きサブキャリアの情報として前記複数のノードの前記送信装置に出力する出力工程を含み、
前記送信装置は、
前記光伝送路上の伝送信号の空きサブキャリアの情報が入力され、前記空きサブキャリアを用いた情報の伝送を決定する決定工程と、
前記受信装置に送信する入力情報を、前記決定された空きサブキャリアの周波数を用いて離散マルチトーン変調方式により変調する変調工程と、
前記離散マルチトーン変調方式により変調された変調信号を前記光伝送路上の伝送信号に合波させる合波工程と、
を含むことを特徴とする光信号通信方法。
【００９１】
（付記１５）前記決定工程は、
前記光伝送路上の伝送信号の空きサブキャリア毎の伝送特性の情報と、前記入力情報の送信に必要な所要容量の情報とに基づき、前記空きサブキャリアを用いた前記入力情報の送出の可否を判断することを含むことを特徴とする付記１４に記載の光信号通信方法。
【符号の説明】
【００９２】
１００  光周波数分割多重（光ＦＤＭ）伝送システム
１０１  光伝送路
１０２  光源
１０３  ノード
１０３ａ  光ＦＤＭ合波器
１０３ｂ  送信機
１０４  受信機
１０４ａ  光ＦＤＭ付加信号用受信機
１０４ｂ  搬送波付加信号用受信機
１１１  所要容量設定部
１１２  ビット割当決定部
１１３  ＤＭＴ変調部
１１４  ＤＭＴ送信器
１２１  光フィルタ
１２２  受信器
１２３（１２３ａ，１２３ｂ）  ＤＭＴ復調部
１２４（１２４ａ，１２４ｂ）  電気スペクトル分析部
１２５（１２５ａ〜１２５ｃ）  サブキャリア特性分析部
【図１】
2014078806.tif 000003
【図２】
2014078806.tif 000004
【図３】
2014078806.tif 000005
【図４】
2014078806.tif 000006
【図５】
2014078806.tif 000007
【図６】
2014078806.tif 000008
【図７】
2014078806.tif 000009